(57)【要約】      （修正有）【課題】構成部品点数が少なく、安全で信頼性があり、安価で容易に生産できる低電圧配電盤を提供すること。【解決手段】垂直支柱と水平横桟を有する支持構造を備え、さらに、１つ以上のバスバーを収容するバスバーコンパートメントと１つ以上の電気装置を収容する装置コンパートメントとを備え、前記バスバーコンパートメントと装置コンパートメントとが仕切り兼絶縁壁によって分離された低電圧配電盤であって、前記仕切り兼絶縁壁が、前記バスバーコンパートメントに対面し前記バスバー用の複数の保持兼支持手段を備える第１表面と、前記装置コンパートメントに対面し前記仕切り兼絶縁壁を介して前記バスバーと前記１つ以上の電気装置の間の第１接続手段の挿入/引き抜きをするための複数の開口を備えた第２表面とを有し、前記第１接続手段は、前記仕切り兼絶縁壁と協同して前記第１接続手段の挿入/引き出し時に位相間の空隙を増大する第１絶縁手段を備える。【選択図】図３
2019050722.tif 000002
【特許請求の範囲】
【請求項１】
垂直支柱と水平横桟を有する支持構造を備え、さらに、１つ以上のバスバーを収容するバスバーコンパートメントと１つ以上の電気装置を収容する装置コンパートメントとを備え、前記バスバーコンパートメントと装置コンパートメントとが仕切り兼絶縁壁によって分離された低電圧配電盤であって、前記仕切り兼絶縁壁が、前記バスバーコンパートメントに対面し前記バスバー用の複数の保持兼支持を備える第１表面と、装置コンパートメントに対面し前記仕切り兼絶縁壁を介して前記バスバーと前記１つ以上の電気装置の間の第１接続手段の挿入/引き抜きをするための複数の開口を備えた第２表面とを有し、前記第１接続手段が、前記仕切り兼絶縁壁と協同して前記第１接続手段の挿入/引き抜き時に位相間の空隙を増大する第１絶縁手段を備えることを特徴とし、所定の条件下で、前記１つ以上の電気装置をロックして、前記バスバーと接触する動作位置への/前記バスバーと接触する動作位置からの、前記第１接続手段の挿入/引き抜きを防止する機械的ロック手段をさらに備える低電圧配電盤。
【請求項２】
前記第１接続手段の挿入/引き抜きをするための前記複数の開口の少なくともいくつかは、前記仕切り兼絶縁壁の前記第２表面から突出する隆起エッジを備えることを特徴とする請求項１に記載の低電圧配電盤。
【請求項３】
前記仕切り兼絶縁壁が、各々の上に垂直方向に積み重ねられた複数の絶縁モジュールから作られ、連続する壁を形成することを特徴とする請求項１又は２に記載の低電圧配電盤。
【請求項４】
前記バスバーコンパートメントが垂直方向に間隔を有する前記複数の絶縁モジュールから作られた裏壁を有することを特徴とする請求項３に記載の低電圧配電盤。
【請求項５】
前記第１接続手段は、絶縁材料から作られ１つ以上のクランプ手段を収容する中空体を備え、前記中空体は一端に前記バスバーの１つに接続するように構成された接続クランプを、他端に前記電気装置の１つの端子に接続される導電性の組みひもを有することを特徴とする請求項１〜４のいずれか１つに記載の低電圧配電盤。
【請求項６】
前記中空体は、第１の側面において、前記仕切り兼絶縁壁の前記第２表面から突出する前記隆起エッジの１つと協同し、第２の側面において、前記電気装置の１つに結合する固定手段を備えることを特徴とする請求項５に記載の低電圧配電盤。
【請求項７】
前記中空体は、一体につながる第１の片側半分と第２の片側半分とを備えることを特徴とする請求項５又は６に記載の低電圧配電盤。
【請求項８】
前記電気装置は、１つ以上の電気機器を収容する引き出しであることを特徴とする請求項１〜７のいずれか１つに記載の低電圧配電盤。
【請求項９】
前記引き出しは、前方プレートと後方プレートとを備え、前記後方プレートは前記低電圧配電盤の前記支持構造の上に固定され、前記前方プレートは前記後方プレートに対して挿入および引き抜き可能であり、前記前方プレートと前記後方プレートは前記前方プレートを前記後方プレートに摺動結合するための溝と対応隆起エッジとを備え、前記前方プレートは１つ以上の電気機器を支持するように構成され、前記後方プレートは少なくとも前記第１接続手段を通すための１つ以上の窓を備えることを特徴とする請求項８に記載の低電圧配電盤。
【請求項１０】
１つ以上の前記第１接続手段を支持するように構成された第１ブラケットを有する第１接続キットを備えることを特徴とする請求項８又は９に記載の低電圧配電盤。
【請求項１１】
前記第１ブラケットは前記引き出しの前記前方プレートの後方部分に固定されることを特徴とする請求項１０に記載の低電圧配電盤。
【請求項１２】
前記電気機器の出力接続用の第２接続手段を支持するように構成された第２ブラケットを有する第２接続キットを備えることを特徴とする請求項８〜１１のいずれか１つに記載の低電圧配電盤。
【請求項１３】
前記電気機器は前記第２接続手段と結合するためのプラグイン接続手段を備えることを特徴とする請求項１２に記載の低電圧配電盤。
【請求項１４】
前記引き出しの前記前方プレートに固定されるように構成された１つ以上の支持ブラケットと、１つ以上の計器及び/又は補助機器を支持するために前記引き出しの前記後方プレートに固定されるように構成された１つ以上の支持ブラケットとを備えることを特徴とする請求項８〜１２のいずれか１つに記載の低電圧配電盤。
【発明の詳細な説明】
【技術分野】
【０００１】
この発明は、配電盤、特に、改良された機能と特性を有する低電圧配電盤に関する。
【背景技術】
【０００２】
一般的に、低電圧配電盤用のキャビネットは、配電盤を構成する部品の機能的な要求及び設置上の要求に合うように特に設計され、製作される。実際に知られていることであるが、配電盤は互いに平行な金属バー、いわゆるバスバーのシステムを使用し、そのバーの各々は電源システムの対応する位相に接続される。キャビネットの内部では、それらのバーは、配電盤に用いられる装置、例えば、サーキットブレーカー、スイッチ、押しボタン、制御装置、及び類似の装置に電気的に接続されると共に、適当な絶縁体および支持装置に幾何学的に結合される。バスバーと装置との間の接続部は、例えば、プレートのような、装置のタイプ応じて適切に成形された適当な導電体によって形成される。
【０００３】
バスバー支持装置は、バーを互いに電気的に絶縁することに加えて、バーをキャビネットの構造体に接続させる。この方法においては、バーにおいて電流の流れによって生じる動電気力のストレスはすべて、キャビネットの構造体に放出されるので、その構造体は十分な構造的強度特性を備えなければならない。さらに、電気機器は１つ以上の固定ガイド上に配置され、その固定ガイドはキャビネットのフレームに、直接又は追加の接続部品を用いて接続される。
【０００４】
配電盤のキャビネットの内部では、バーが、意図的に設計された機器に幾何学的に結合されるが、それらの機器はバーを支持し、バーを互いに絶縁し、バーをキャビネットのより耐久性のあるフレームに接続することができる。この方法では、通常の構造的な支持体に加えて前記の機器も、バーの電流の流れによって生じるかなりの動電気力のストレスがフレーム上に放出されるようにできる。安全上の理由で、バスバーを前記装置が収容される配電盤の前側の容積から分離しておくために、絶縁性の仕切りが通常、配電盤内に設けられる。
【０００５】
配電盤の前側に、１つ以上の電気装置、例えば、サーキットブレーカー、スイッチ、押しボタン、制御装置、および類似の装置が収容される装置コンパートメントを、通常、備える。いくつかの場合では、１つ以上の前記電気装置は、配電盤内でバスバーとの接続位置から引き抜くこと及びその接続位置へ挿入することができる引出しの中に収容される。
【０００６】
装置とバスバーとを接続するために、バスバーコンパートメントと装置コンパートメントとの間の絶縁仕切りは、通常、装置とバスバー間の接続手段を通させるように設計される。
【発明の概要】
【発明が解決しようとする課題】
【０００７】
技術の現状では、既存の低電圧配電盤は、克服すべき多くの欠点を持っている。
【０００８】
例えば、既知のタイプの支持装置の使用は、なかんずく、バスバーを支持するために、およびバスバーコンパートメントと装置コンパートメントとの間の絶縁仕切りを造るために、必要な部品の数と種類に関して、いくつかの欠点をもたらす。
【０００９】
実際、図１を参照すると、従来の配電盤１００は通常、垂直支柱１０３によって構造的に接続される基部１０１と頂上部１０２を有する支持構造を備える。多数のプレート１０４が、配電盤１００の前側に設置されたバスバーコンパートメントと装置コンパートメント１０５間の仕切りを造るために配電盤１００内に設けられている。装置コンパートメント１０５の中に、多数の電気装置１２０が収容され、それらのいくつかは、配電盤１００内でバスバー１０６との接続位置から引き抜かれること及びその接続位置へ挿入されることが可能な１つ以上の引出し１２１に設置されている。
【００１０】
図２を参照すると、種々のバスバー１０６が、前方搭載ブラケット１０８に固定された多数の前方支持体１０７と、後方搭載ブラケット１１０に固定された多数の後方支持体１０９とによって、種々の高さに支持されている。後方支持体１０９が通常、前方支持体１０７に対して異なる形状と寸法を有することは、注目に値する。
【００１１】
プレート１０４、前方搭載ブラケット１０８、及び後方搭載ブラケット１１０は、多数のねじ１１１によって配電盤１００の支持構造に固定されている。
現状の対応策は、それが固定用のねじ手段を必要とする非常に多数の構造的構成部品（例えば、プレート１０４、前方支持体１０７、対応する前方搭載ブラケット１０８、後方支持体１０９、及び対応する後方搭載ブラケット１１０）の使用を含む限りでは、製造コストや製造時間、さらに組み立ての時間と困難性が結果的に増大することによって、明らかに不利益であるということは、上記から明白である。
【００１２】
その上、バスバー１０６の先端と底端を固定して絶縁するために、さらなる装置が必要とされ、それによって構造的な構成部品の数をさらに増大させ、その結果として、構造的な複雑性と、製造および組み立てコストと時間による欠点を、さらに増大させる。
【００１３】
バスバー１０６が垂直方向に沿った不連続点においてのみ（つまり、連続的でなく）前方支持体１０７と後方支持体１０９によって支持され、それによって、バスバー１０６が動電気力のストレス、特に短絡状態におけるストレスに耐えることが難しくなるという事実によって、さらなる問題が生じる。そのような問題は、バスバー１０６の垂直方向に沿って互いに狭い間隔を有する多数の前方支持体１０７と後方支持体１０９を用いることによって部分的にのみ解決できるが、そのような解決策はさらに構成部品の数を増大させ、配電盤１００へのバスバー１０６の組み込み作業を複雑にする。
【００１４】
既存の配電盤のさらなる問題点は、装置とバスバー間の重要な接続によって与えられる。実際、例えばクランプや類似の接続手段のような電気装置（それらが搭載される引出しを含む）とバスバーとを接続する手段の挿入および引き抜き時に、位相間において予期しない電弧（アーク）が生じる危険性は、常に存在している。そのような危険性を避けるか、少なくとも減らすために、そして、配電盤の電気的に生きている部品間のIP保護の所望のレベルを達成するために、従来の低電圧配電盤では、位相間に複雑な絶縁システムを設けるのが通常である。
【００１５】
規制の変更により最近明らかになった他の問題は、装置の接点、例えばサーキットブレーカーの接点が閉じられたときに、その装置の、および結果的にはサーキットブレーカーが予め組み込まれている引出しの挿入を防止し、また、その装置の接点が閉じられたときに、前記装置（及び関連する引出し）の引き抜きを防止する機械的ロックシステムを有することの必要性である。一般的に、既存の引出しは、比較的重く、比較的多数の部品によって形成されるので、それらの組み立てや、引出し内での電気装置の設置や、配電盤内の作動位置への挿入および作動位置からの引き抜き作業を難しくする。
【００１６】
従って、この発明は、上記欠点の少なくともいくつかを克服できる低電圧配電盤を提供することを目的とする。特に、この発明は、バスバーアセンブリを固定し、バスバーコンパートメントを装置アセンブリから分離し、配電盤内の１つ以上の電気装置の挿入／引き抜きをするために必要な部品の数が、著しく減少する低電圧配電盤を提供することを目的とする。
【００１７】
さらに、この発明は、配電盤内での１つ以上の電気装置の挿入／引き抜き時の位相間の予期しない電弧（アーク）発生の危険性が、従来の配電盤に対して、回避されるか、少なくとも著しく減少する低電圧配電盤を提供することを目的とする。
【００１８】
それに加えて、この発明は、電気装置がＯＮの状態にあるときに、その電気装置の挿入／引き抜きを防止する、電気装置および引出しの機械的安全ロックに関する現在の要求に合う低電圧配電盤を提供することを目的とする。
【００１９】
また、この発明は、信頼性があり、競争力のあるコストで比較的容易に生産できる低電圧配電盤を提供することを目的とする。
【課題を解決するための手段】
【００２０】
従って、この発明は、垂直支柱と水平横桟を有する支持構造を備え、さらに、１つ以上のバスバーを収容するバスバーコンパートメントと１つ以上の電気装置を収容する装置コンパートメントとを備え、前記バスバーコンパートメントと装置コンパートメントとが仕切り兼絶縁壁によって分離された低電圧配電盤に関する。この発明の低電圧配電盤は、前記仕切り兼絶縁壁が、前記バスバーコンパートメントに対面し前記バスバー用の複数の保持兼支持手段を備える第１表面と、前記装置コンパートメントと対面し前記仕切り兼絶縁壁を介して前記バスバーと前記１つ以上の電気装置の間の第１接続手段の挿入/引き抜きをするための複数の開口を備えた第２表面とを有し、前記第１接続手段が、前記仕切り兼絶縁壁と協同して前記第１接続手段の挿入/引き抜き時に位相間の空隙を増大する第１絶縁手段を備え、前記低電圧配電盤はさらに、所定の条件下で、前記１つ以上の電気装置をロックして、前記バスバーと接触する動作位置への/前記バスバーと接触する動作位置からの、前記第１接続手段の挿入/引き抜きを防止する機械的ロック手段を備えることを特徴とする。
【発明の効果】
【００２１】
次の記述でさらによく説明するように、この発明の配電盤の特別な構造的によって、上記問題点は回避されるか、少なくとも大きく減少する。
【００２２】
実際、電気装置をロックして、所定の条件下、例えば、前記電気装置がＯＮ位置にあるときに、バスバーに接触する作動位置への／作動位置からの電気装置の挿入／引き抜きを防止するための機械的ロック手段は、現行の規制の要求に合うことができる。
【００２３】
次の記述でよりよく説明するように、第１接続手段の第１絶縁手段は、バスバーと電気装置間の接続点における絶縁性能を向上させ、それによって、配電盤における電気装置の挿入／引き抜き動作時に発生する予期しない電弧（アーク）の危険性を回避するか、少なくとも大きく減少させる。
【００２４】
さらに、仕切り兼絶縁壁は、低電圧配電盤の内部で、バスバーを支持し、バスバーコンパートメントと装置コンパートメントとの間に効果的な仕切り兼絶縁壁を造るという二つの機能を有し、それによって、その二つの機能目的を達成するために通常必要とされる構成部品の数を大きく減少させる。
【００２５】
この発明による、低電圧配電盤の好ましい実施形態において、第１接続手段の挿入／引き抜き用の前記複数の少なくともいくつか、好ましくは、全ては、仕切り兼絶縁壁の第２表面から突出する隆起エッジを備える。実際、次の記述でよりよく説明するように、その隆起エッジは、開口を実質的に取り囲み第１接続手段と協同して、接続点に対応するより良い絶縁性を保証する。
【００２６】
この発明の低電圧配電盤の非常に好ましい実施形態によれば、前記仕切り兼絶縁壁は、各々の上に垂直方向に積み重ねられた複数の絶縁モジュールから作られる。前記絶縁モジュールは、「低電圧配電盤用キャビネット内の、コンパートメントを仕切ってバスバーを支持する装置」という名称の、本願と同じ出願人による同時係属の欧州特許出願に詳述され、その記述は引用によってここに完全に組み込まれるので、さらに詳述されない。
【００２７】
ここに開示される低電圧配電盤の通常の代表的な実施形態において、バスバーコンパートメントは、その前側で、仕切り兼絶縁壁によって閉鎖され、反対側で、垂直方向に間隔を有する複数の前記絶縁モジュールから好ましく作られた裏壁によって都合よくその範囲が定められる。
【００２８】
好ましくは、前記第１接続手段は、絶縁材料から作られた中空体を都合よく備える。その中空体は１つ以上のバスバー固定手段、通常はクランプ手段を収容するが、そのクランプ手段は、一端に、バスバーの１つと接続するように構成された接続クランプ有し、他端に、電気装置の１つの端子と接続するための導電性の組みひもを有する。
【００２９】
従って、この発明の低電圧配電盤の非常に好ましい実施形態において、前記中空体は、第１側面において、仕切り兼絶縁壁の第２表面から突出する隆起エッジの１つと協同し、前記第１側面に対向する第２側面において、電気装置の１つと結合するための固定手段を備える。前記固定手段は、瞬時固定手段（例えば、クランプ手段、スナップ嵌合手段、摺動手段など）又は、ねじ手段、あるいは、その２つの組合せであることが可能である。
【００３０】
接続手段の組み立てを容易にするために、特に、接続手段が例えば２つ以上の接続クランプを備えるときに、前記中空体は、前記接続クランプやクランプためのハウジングを形成するために一体につながれる第１の片側半分と第２の片側半分とを結合することによって、都合よく形成される。
【００３１】
この発明による低電圧配電盤の一般的な実施形態において、１つ以上の前記電気装置は、１つ以上の電気機器を支持して収容する引出しである。従って、この発明の目的にかなうために、「電気装置」という用語は、特定の電気機器（例えば、サーキットブレーカー、スイッチ、押しボタン、制御機器、又は類似の装置）のみならず、電気機器を支持し、支持した電気機器を、低電圧配電盤の中に挿入したり、低電圧配電盤から引き抜くために用いられる「引出し」を示すために用いられる。
【００３２】
従って、この発明による低電圧配電盤の好ましい実施形態において、前記引出しは、前方プレート（前方容器）と後方プレート（後方容器）とを備える。前記後方プレートは通常、低電圧配電盤の支柱構造に、例えば前記低電圧配電盤の少なくとも２つの垂直支柱に固定され、一方、前記前方プレートは、後方プレートへの挿入と、後方プレートからの引き抜きとが可能である。
【００３３】
前記前方プレートと後方プレート間の機械的な摺動結合は、前記前方プレートと後方プレートの上に設けられた溝と、対応する隆起エッジとを、いずれかの順序で（つまり、前方プレート上に隆起エッジを、そして後方プレート上に溝を、又は前方プレート上に溝を、そして後方プレート上に隆起エッジを）備えることができる。摺動結合の他の形式は、必要に応じて選択可能である。
【００３４】
通常、前方プレートは１つ以上の電気機器を支持するように有利に構成され、一方、後方プレートは少なくとも第１接続手段を通すための１つ以上の窓を備えることができる。実際、使用者による電気機器へのアクセスは前方プレートを介して行われ、一方、バスバーへの電気機器の接続は後方プレートを介して行われる。
【００３５】
この発明の好ましい実施形態において、電気機器の引出しへの組み込みと、電気機器の使用者による挿入／引き抜き動作とを、容易に、かつ、迅速にするために、前記低電圧配電盤は、第１接続手段の１つ以上を支持するように構成された第１ブラケットを有する第１接続キットを都合よく備えることができる。
【００３６】
実際、この実施形態によれば、第１ブラケットは前記引出しの前方プレートの後方部分に固定することができる。第１ブラケットは、第１接続手段が挿入されて固定される多数の開口を都合よく備えることができる。
【００３７】
例えば、第１接続手段の中空体は、第１ブラケットの開口に挿入され、そこに固定されることができる。中空体に収容されたクランプ手段は、電気機器の端子に、例えば導電性の組みひもで接続され、一方、接続クランプは、バスバーの１つに接続するために第１ブラケットの後方部分から突出する。
【００３８】
この方法では、電気機器と、バスバーとの電気機器の接続部は、引出しの前方プレートの中に予め容易に、かつ、迅速に組み込むことができ、それによって、低電圧配電盤の装着箇所において実行するのに要する作業を最小にする。
【００３９】
さらに、つぎの詳細な説明においてよりよく説明するように、この発明による低電圧配電盤は、前記電気機器の出力接続用の第２接続手段を支持するように構成された第２ブラケットを有する第２接続キットを都合よく備えることができる。第２ブラケットは低電圧配電盤の支持構造に、例えば、低電圧配電盤の垂直支柱に都合よく固定され、前記第２接続手段は、前記電気機器に備えられた対応する接続手段にプラグイン接続ができるように有利に構成される。
最後に、この発明による低電圧配電盤は、前方プレート上に固定されるように構成された１つ以上の支持ブラケットと、１つ以上の装置及び／又は補助機器を支持するために前方プレート上に固定されるように構成された１つ以上の支持ブラケットとを、必要に応じて備えることができる。
【００４０】
この発明のさらなる特徴と利点は、添付図で実例により示される、低電圧配電盤の好ましいが排他的でない実施形態の説明から、さらに明らかになるであろう。
【図面の簡単な説明】
【００４１】
【図１】先行技術による低電圧配電盤の斜視図である。
【図２】先行技術による低電圧配電盤における、バスバーと仕切り壁用の支持装置を形成する部品の分解斜視図である。
【図３】この発明による低電圧配電盤の前から見た第１斜視図である。
【図４】この発明による低電圧配電盤の裏から見た第２斜視図である。
【図５】この発明による低電圧配電盤で用いられる引出しの実施形態の斜視図である。
【図６】この発明による低電圧配電盤で用いられる引出しの実施形態の分解斜視図である。
【図７】この発明による低電圧配電盤で用いられる第１接続手段用の第１支持ブラケットの第１実施形態の第１斜視図である。
【図８】この発明による低電圧配電盤で用いられる第１接続手段用の第１支持ブラケットの第１実施形態の第２斜視図である。
【図９】この発明による低電圧配電盤で用いられる第１接続手段の第１実施形態の斜視図である。
【図１０】この発明による低電圧配電盤で用いられる第１接続手段の第１実施形態の分解斜視図である。
【図１１】この発明による低電圧配電盤で用いられる第２接続手段の第２支持ブラケットの第１実施形態の第１斜視図である。
【図１２】この発明による低電圧配電盤で用いられる第２接続手段用の第２支持ブラケットの第１実施形態の第２斜視図である。
【発明を実施するための形態】
【００４２】
添付図３〜１２を参照すると、この発明の低電圧配電盤１は、互いに強固に接続された多数の垂直支柱３と水平横桟４とによって構成された支柱構造２を備える。低電圧配電盤１の内部空間は、少なくとも、１つ以上のバスバー５を収容するバスバーコンパートメント１０と、１つ以上の電気装置６が設置された装置コンパートメント２０に分割されている。バスバーコンパートメント１０と装置コンパートメント２０とは、その２つのコンパートメントの全垂直長さに沿って延びる仕切り兼絶縁壁３０によって分離されている。
【００４３】
この発明の低電圧配電盤１の特徴の１つは、仕切り兼絶縁壁３０が、バスバー５用の保持して支持する手段を複数備えるバスバーコンパートメント１０に対面する第１表面を有するという事実によって与えられる。換言すれば、コンパートメントとバスバー用の専用の支持装置との間に専用の仕切り版を必要とする先行技術の配電盤と異なり、この発明の低電圧配電盤１においては、仕切り兼絶縁壁３０が、絶縁／仕切り機能とバスバーの支持機能との両方を実行する。
【００４４】
そこで、仕切り兼絶縁壁３０は、複数の貫通開口３３を備える装置コンパートメント２０に対面する第２表面３２を有し、その複数の貫通開口３３によって、仕切り兼絶縁壁３０を介しての、バスバー５と１つ以上の電気装置６間における第１接続手段４０の挿入／引き抜きが可能になる。
【００４５】
この発明の低電圧配電盤１のさらに異なる特徴は、第１接続手段４０が、仕切り兼絶縁壁３０と協同する第１絶縁手段４１を備えて第１接続手段４０の挿入／引き抜き時の位相間の空隙を増大させ、それによって、低電圧配電盤における電気機器の挿入／引き抜き動作時の不用意な電弧（アーク）の発生の危険性を回避するという事実によって与えられる。
【００４６】
この発明の低電圧配電盤１のさらに異なる特徴は、所定の条件下で、１つ以上の電気装置６をロックし、バスバー５に接触する動作位置への挿入と、その動作位置からの引き抜きとを防止する機械的ロック手段を備えるという事実によって与えられる。例えば、サーキットブレーカーの場合には、その機械的ロック手段は、接点が接触位置にある時、サーキットブレーカーの挿入／引き抜きを防止する。
【００４７】
図３を参照すると、低電圧配電盤１の代表的な実施形態において、仕切り兼絶縁壁３０の第２表面３２は、第１接続手段４０の挿入／引き抜き用の複数の貫通開口３３に対応して、第２表面３２から突出して貫通開口３３を囲む隆起エッジ３３１を備える。この方法において、電気装置とバスバーを接続する手段、例えばクランプ、の引き抜き時に位相間の空隙を増大し、低電圧配電盤１の電気的に生きている部品間のIP20保護を達成することが可能である。
【００４８】
この発明の低電圧配電盤１の特に好ましい実施形態によれば、仕切り兼絶縁壁３０は、各々垂直方向に積み重ねられた複数の絶縁モジュール３５から作られ、連続する壁を形成する。そのような絶縁モジュール３５は、上記で引用した同時係属中の欧州特許出願に開示されているので、詳細には説明しない。
【００４９】
図４に示すように、低電圧配電盤１の通常の実施形態において、バスバーコンパートメント１０は、仕切り兼絶縁壁３０に対向する裏壁１５を有するが、その仕切り兼絶縁壁３０は垂直方向に間隔を有する複数の絶縁モジュール３５から好ましく作られる。そのような裏壁１５に用いられる絶縁モジュール３５の数とそれらの相対距離は、配電盤の定格Icwに依存し、必要性に応じて選択される。
【００５０】
図９と１０を特に参照すると、この発明の低電圧配電盤の代表的な実施形態において、第１接続手段４０は絶縁材料から作られた絶縁中空体４１を備える。絶縁中空体４１の内部には、１つ以上のクランプ手段４２０、４３０が収容される。クランプ手段４２０、４３０の数は、一般的に１つ以上であり、必要性、つまり、定格電流に応じて選択可能である。
【００５１】
クランプ手段４２０，４３０は、一端にバスバー５の１つに接続するように構成された接続クランプ４２１，４３１を、他端に電気装置６の１つの対応する端子に接続するための導電性の組みひも（図示しない）を、有する。その組みひもは、短絡の場合に動電気力による垂直と水平のストレスに耐えるように、絶縁中空体４１に少なくとも部分的に包含されて支持される。
【００５２】
好ましくは、絶縁中空体４１は、第１側面において、仕切り兼絶縁壁３０の第２表面３２から突出する隆起エッジ３３１の１つと協同し、電気装置６の挿入／引き抜き時に位相間の空隙を増大させて、接続クランプ４２１,４３１を完全に絶縁する。そこで、絶縁中空体４１は、前記第１側面に対向する第２側面において、次に詳述するように、電気装置６の１つに結合するための固定手段４２,４３を都合よく備える。
【００５３】
図１０に詳しく示すように、絶縁中空体４１は、クランプ手段４２０,４３０用のハウジングを形成するために、互いに接続される第１の片側半分４０１と第２の片側半分４０２とを用いて都合よく実現される。そのようなデザインは、第１接続手段４０の組み立てを容易にする。第１の片側半分４０１と第２の片側半分４０２は、瞬時接続手段、例えば第２の片側半分４０２の対応スロット又は等価保持手段に係合する第１の片側半分４０１の歯４０５を用いて、互いに容易に接続できる。
【００５４】
この発明による、低電圧配電盤１の特に好ましい実施形態において、電気装置６は１つ以上の電気機器３００を収容する引出し６０である。以前に指摘したように、この明細書の目的のために、「電気装置」という用語は、特定の電気機器（例えば、サーキットブレーカー、スイッチ、制御装置、又は類似の装置）のみならず、電気機器を支持したり、電気機器を低電圧配電盤に挿入したり、電気機器を低電圧配電盤から引き抜いたりするために用いられる引出しを指すために用いることができる。
【００５５】
図５と６を特に参照すると、引出し６０は通常、前方プレート６１と後方プレート６２とを備える。後方プレート６２は、低電圧配電盤１の支柱構造２に（例えば、図３と４に示す垂直支柱３に）、固定手段（例えば、ねじ手段）を用いて、例えば後方プレート６２の横側面６２５を低電圧配電盤１の支柱構造２に接続することによって、都合よく固定される。
【００５６】
前方プレート６１は、後方プレート６２の中へそれらの間の摺動結合手段を用いて挿入可能であると共に、後方プレート６２からそれらの間の摺動結合手段を用いて引き抜き可能である。特に、前方プレート６１は隆起エッジ６１０を備え、隆起エッジ６１０は後方プレート６２上に設けられた対応溝６２０に摺動可能に挿入できる。前方プレート６１に溝を、後方プレート６２上に隆起エッジを有することも、また、前方プレート６１と後方プレート６２との間に異なる結合摺動手段を用いることも可能である。前方プレート６１と後方プレート６２は、互いに直接に、及び／又は中間固定ブラケット８８を介して固定可能である。
【００５７】
引出し６０の前方プレート６１は、１つ以上の電気機器３００を支持し、使用者がその前方からアクセスできるように構成されている。さらに、前方プレート６１の前側には、その操作と挿入／引き抜き動作を容易にするために一対のハンドル６１５を都合よく設けることができる。
【００５８】
引出し６０の前方プレート６１は、電気機器３００の電気的接続のために、１つ以上の窓６２１,６２２,６２３を都合よく備える。特に、窓６２１の少なくとも１つは、第１接続手段４０を通すように構成されている。
【００５９】
図７と８を参照すると、この発明の低電圧配電盤１の好ましい実施形態において、第１接続手段４０は、第１接続手段４０を支持するように構成された第１ブラケット７１を備える第１接続キット７０によって都合よく支持されている。特に第１ブラケット７１は、第１接続手段４０が挿入される多数の開口７２を有するプレートを備える。
【００６０】
実際、図７と９に示すように、絶縁中空体４１の一端は、開口７２の１つに挿入され、図７に示すように第１ブラケット７１のプレートの表面に係合する固定手段４２、例えば弾性のある歯によって適所に保持される。図８を参照すると、第１ブラケット７１のプレートの他の側面において、絶縁中空体４１が固定手段４３、例えば、絶縁中空体４１上の台座と第１ブラケット７１の対応する台座とに入り込むねじ手段を用いて適所に保持される。
【００６１】
以前に述べたように、クランプ手段４２０の端部４２２は、導電性の組みひもを用いて電気機器３００の対応端子に都合よく接続される。図１２に示すように、第１ブラケット７１は、引出し６０の前方プレート６１の後方部分に固定される。
【００６２】
図１１と１２を参照すると、この発明の低電圧配電盤１のさらに好ましい実施形態において、低電圧配電盤１は、電気機器３００の出力接続用の第２接続キット８０を有利に備える。
【００６３】
この実施形態によれば、第２接続キット８０は、電気機器３００の引出し接続用の第２接続手段８２を支持するように構成された第２ブラケット８１を備える。上述の図に示すように、第２ブラケット８１は、第２接続手段８２が低電圧配電盤１の前に向かって対面するように、低電圧配電盤１の支柱構造２に都合よく固定される。引出し６０が低電圧配電盤１に挿入された時、第２接続手段８２は、引出し６０の後方プレート６２の窓６２２を介して電気機器３００の出力接続端子３０１に接続できる。
【００６４】
有利なことに、第２接続手段８２と電気機器３００の出力接続端子３０１との間の接続手段は、プラグインタイプのものであり、例えば、第２接続手段８２の各々は、電気機器３００の対応接続端子３０１を挿入クランプするための接続クランプを備えることができる。また、電気機器３００の下流装置への出力接続は、引出し６０の後方プレート６２の横側に設けられた窓６２３を介して下流装置を出力接続端子３０１へ直接接続することによって実行可能である。
【００６５】
この発明による、低電圧配電盤１の特定の実施形態において、１つ以上の装置又は類似の機器を支持するために、引出し６０の前方プレート６１に固定されるように構成された１つ以上の支持ブラケット９１（図５）を有することが可能である。例えば、補助機器の接続プラグを支持するために、引出し６０の後方プレート６２に固定されるように構成された１つ以上の支持ブラケット９２（図６）を有することも可能である。そのような場合には、前方プレート６１は、引出し６０の前方プレート６１から前記プラグへ雄／雌接続させる開口６１６を都合よく備えることができる。補助機器、例えば測定変圧器６５０もまた、引出し６０の内部空間に収容可能である。
【００６６】
この発明の低電圧配電盤が、意図した目的を十分に達成し、上述した既存の配電盤の問題点を解決することは、上記から明白である。
【００６７】
いくつかの変形を、低電圧配電盤に対して作ることができるが、考案されるすべてのものは、添付の特許請求の範囲内に収まる。実際、使用する材料や、確定されていない寸法や形状は、必要な条件と技術の状況により、どのようにでもできる。
【符号の説明】
【００６８】
１  低電圧配電盤
２  支柱構造
３  垂直支柱
４  水平横桟
５  バスバー
６  電気装置
１０  バスバーコンパートメント
１５  裏壁
２０  装置コンパートメント
３０  仕切り兼絶縁壁
３１  第１表面
３２  第２表面
３３  貫通開口
３５  絶縁モジュール
４０  第１接続手段
４１  絶縁中空体
４２,４３  固定手段
６０  引出し
６１  前方プレート
６２  後方プレート
７０  第１接続キット
７１  第１ブラケット
７２  開口
８０  第２接続キット
８１  第２ブラケット
８２  第２接続手段
８８  中間固定ブラケット
９１,９２  支持ブラケット
３００  電気機器
３０１  出力接続端子
３３１  隆起エッジ
４０１  第１の片側半分
４０２  第２の片側半分
４０５  歯
４２０  クランプ手段
４２１,４３１  接続クランプ
４２２,４３２  他端
４３０  クランプ手段
６１０  隆起エッジ
６１５  ハンドル
６２０  対応溝
６２１,６２２,６２３  窓
６２５  横側面
６５０  測定変圧器
【図１】
2019050722.tif 000003
【図２】
2019050722.tif 000004
【図３】
2019050722.tif 000005
【図４】
2019050722.tif 000006
【図５】
2019050722.tif 000007
【図６】
2019050722.tif 000008
【図７】
2019050722.tif 000009
【図８】
2019050722.tif 000010
【図９】
2019050722.tif 000011
【図１０】
2019050722.tif 000012
【図１１】
2019050722.tif 000013
【図１２】
2019050722.tif 000014